(57)【特許請求の範囲】
【請求項１】
シート状物を地面に押さえて固定するシート状物押え具であって、該シート状物を地面に押える押え板と該押え板を地面に押圧する押えピン部材とを具え、該押え板と該押えピン部材は別体に形成されており、
該押え板には、所要間隔を置いて２箇所のピン挿通孔部が設けられる一方、
前記押えピン部材は、該両ピン挿通孔部に挿通されて地面に押し込まれる２本のピン体の上部相互が、手で握るための握り部を有する繋ぎ片で連結されると共に、
前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成でき、
前記押え板が前記最上昇位置で保持されるように、前記両ピン体が、前記押え板の前記両ピン挿通孔部間の部分を弾性的に挾持することを特徴とするシート状物押え具。
【請求項２】
シート状物を地面に押さえて固定するシート状物押え具であって、該シート状物を地面に押える押え板と該押え板を地面に押圧する押えピン部材とを具え、該押え板と該押えピン部材は別体に形成されており、
該押え板には、所要間隔を置いて２箇所のピン挿通孔部が設けられる一方、
前記押えピン部材は、該両ピン挿通孔部に挿通されて地面に押し込まれる２本のピン体の上部相互が、手で握るための握り部を有する繋ぎ片で連結されると共に、
前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成でき、
前記押え板が前記最上昇位置乃至それに近い状態で保持されるように、前記両ピン体が、前記押え板の前記両ピン挿通孔部の外縁部を該両ピン体が互いに離れる方向に弾性的に押圧することを特徴とするシート状物押え具。
【請求項３】
前記押えピン部材は１本の金属線材を屈曲して形成されており、前記２本のピン体の上部相互を連結する前記繋ぎ片は、該２本のピン体の上部の夫々において外方に屈曲形成された、水平状態で且つ略同高さの外方屈曲片部と、該両外方屈曲片部の先端の夫々において上方に屈曲形成された上方屈曲片部と、該両上方屈曲片部の上端相互を連結する、手で握るための握り部を有する連結片とで構成されており、前記両ピン体に案内されて上昇する前記押え板が、前記外方屈曲片部としての前記規制部に当接して最上昇位置を呈した状態で、前記押え板と前記握り部との間に前記挿入間隙を形成できることを特徴とする請求項１又は２記載のシート状物押え具。
【請求項４】
前記押えピン部材は１本の金属線材を屈曲して形成されており、前記２本のピン体の上部相互を連結する前記繋ぎ片は、該２本のピン体の上部の夫々において内方に屈曲形成された、水平状態で且つ略同高さの内方屈曲片部と、該両内方屈曲片部の先端の夫々において上方に屈曲形成された上方屈曲片部と、該両上方屈曲片部の上端相互を連結する、手で握るための握り部を有する連結片とで構成されており、前記両ピン体に案内されて上昇する前記押え板が、前記内方屈曲片部としての前記規制部に当接して最上昇位置を呈した状態で、前記押え板と前記握り部との間に前記挿入間隙を形成できることを特徴とする請求項１又は２記載のシート状物押え具。
【請求項５】
シート状物を地面に押さえて固定するシート状物押え具であって、該シート状物を地面に押える押え板と該押え板を地面に押圧する押えピン部材とを具え、該押え板と該押えピン部材は別体に形成されており、
該押え板には、所要間隔を置いて２箇所のピン挿通孔部が設けられる一方、
前記押えピン部材は、該両ピン挿通孔部に挿通されて地面に押し込まれる２本のピン体の上部相互が、手で握るための握り部を有する繋ぎ片で連結されると共に、
前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成でき、
前記押え板は、押え板本体の上面に、所要間隔を置いて、略同高さの筒部が上方に向けて一体に突設されてなり、該筒部と該押え板本体とに亘って前記ピン挿通孔部が設けられており、前記ピン体が該ピン挿通孔部に挿通して、前記筒部の上端が前記繋ぎ片としての前記規制部に当接して最上昇位置を呈した状態で、前記押え板本体と前記握り部との間に前記挿入間隙を形成できることを特徴とするシート状物押え具。
【請求項６】
前記２本のピン体の夫々には、その上端寄り部位に略同高さで、係止突部としての前記規制部が設けられており、前記押え板が前記両ピン体に案内されて上昇でき、該押え板が、前記規制部に当接して最上昇位置を呈した状態で、前記押え板と前記握り部との間に前記挿入間隙を形成できることを特徴とする請求項１又は２記載のシート状物押え具。
【請求項７】
前記２本のピン体の夫々には、その上端寄り部位に略同高さで、該両ピン体の向き合う内方向に突出する如く屈曲された屈曲部、及び／又は、該内方向とは逆の外方向に突出する如く屈曲された屈曲部、としての前記規制部が設けられており、前記押え板が前記両ピン体に案内されて上昇でき、該押え板が前記規制部に当接して最上昇位置を呈した状態で、前記押え板と前記握り部との間に前記挿入間隙を形成できることを特徴とする請求項１又は２記載のシート状物押え具。
【請求項８】
前記２本のピン体の夫々には、その上端寄り部位に略同高さで、該両ピン体の向き合う内方向に突出する如くＵ字状に屈曲されたＵ字状屈曲部が形成されており、前記押え板が前記両ピン体に案内されて上昇でき、前記ピン挿通孔部の外縁部分が該Ｕ字状屈曲部の凹部に嵌まり合った状態となることにより、該外縁部分が、前記Ｕ字状屈曲部の上側部分としての前記規制部に当接して最上昇位置を呈した状態で、前記押え板と前記握り部との間に前記挿入間隙を形成できることを特徴とする請求項１又は２記載のシート状物押え具。
【請求項９】
前記２本のピン体の上部相互を連結する前記繋ぎ片は、手先を挿入するためのリング状部を有しており、該リング状部の上辺は前記握り部を有すると共に、該リング状部の下辺は、前記両ピン体の上部相互を連結する連結片とされており、前記押え板が前記両ピン体に案内されて上昇でき、該押え板が、前記連結片としての前記規制部に当接して最上昇位置を呈した状態で、前記押え板と前記握り部との間に前記挿入間隙を形成できることを特徴とする請求項１又は２記載のシート状物押え具。
【請求項１０】
シート状物を地面に押さえて固定するシート状物押え具であって、該シート状物を地面に押える押え板と該押え板を地面に押圧する押えピン部材とを具え、該押え板と該押えピン部材は別体に形成されており、
該押え板には、所要間隔を置いて２箇所のピン挿通孔部が設けられる一方、
前記押えピン部材は、該両ピン挿通孔部に挿通されて地面に押し込まれる２本のピン体の上部相互が、手で握るための握り部を有する繋ぎ片で連結されると共に、
前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成でき、
前記２本のピン体の上部相互を連結する前記繋ぎ片は、該両ピン体の上部相互を連結し、且つ、最上昇位置にある前記押え板の上面に当接し得る連結片部が設けられており、又、該連結片部の長さ方向の中央部位で上方に突出する上方突出片部が設けられると共に該上方突出片部の上端で、左右に逆方向に突出する前記握り部が設けられており、前記押え板が前記ピン体に案内されて上昇でき、該押え板が前記連結片部としての前記規制部に当接して最上昇位置を呈した状態で、前記押え板と前記握り部との間に前記挿入間隙を形成できることを特徴とするシート状物押え具。
【請求項１１】
シート状物を地面に押さえて固定するシート状物押え具であって、該シート状物を地面に押える押え板本体と該押え板本体を地面に押圧する押えピン部材とを具え、該押え板本体と該押えピン部材は別体に形成されており、
又、前記押え板本体の上面に、所要間隔を置いた２箇所で、該押え板本体とは別体に形成された略同長さの筒体が載置される如くなされ、該筒体と該押え板本体とに亘ってピン挿通孔部が設けられる一方、
前記押えピン部材は、該両ピン挿通孔部に挿通されて地面に押し込まれる２本のピン体の上部相互が、手で握るための握り部を有する繋ぎ片で連結されると共に、
前記押え板本体と前記筒体とは、前記ピン体が前記ピン挿通孔部に挿通された状態で前記両ピン体に案内されて上昇でき、
前記ピン体が該ピン挿通孔部に挿通して、前記筒体の上端が前記繋ぎ片としての規制部に当接して最上昇位置を呈した状態で、該規制部の間隙保持作用によって、手先を挿入させる挿入間隙を前記押え板本体と前記握り部との間に形成できることを特徴とするシート状物押え具。
【発明の詳細な説明】
【技術分野】
【０００１】
本発明は、農業用マルチシート等のシート状物を地面に押さえて固定するシート状物押え具に関するものである。
【背景技術】
【０００２】
農業用マルチシート等のシート状物を地面に押さえて固定するシート状物押え具の一例として、特許文献１記載のものが提案されている。該シート状物押え具ａの一態様は、図３１に示すように、上に突の円弧状片ｂの両端で、地中に押し込まれる２本の軸ｃ，ｃを連設してなる、該軸ｃ，ｃがハの字状に開脚した逆Ｕ字状の押えピンｄと、該両軸ｃ，ｃを上下方向で挿通させ得る２個の挿通孔ｅ，ｅが設けられてなる押え板ｆとを具えていた。
【０００３】
そして、かかるシート状物押え具ａを用いて、地面ｇに敷設したシート状物ｈを上から押さえて地面ｇに固定するに際しては、同図に示すように、該シート状物ｈ上に載せた前記押え板ｆに設けられている２個の挿通孔ｅ，ｅに、前記２本の軸ｃ，ｃを弾性的に窄めた状態にしてその下端部分ｊ，ｊを挿通させて後、該軸ｃ，ｃを該シート状物ｈに突き刺して地中に押し込む。この押し込みにより、地中で軸ｃ，ｃが左右に拡がるため、前記円弧状片ｂを握って押えピンｄを引き抜こうとしても土壌の抵抗によって極めて大きな力を必要とし、前記押え板ｆで押さえられた状態にある該シート状物ｈは、風に煽られた程度の力では剥がされることがない効果を奏するものであった。
【０００４】
このように特許文献１が開示するシート状物押え具ａは、前記２本の軸ｃ，ｃが前記押え板ｆに設けられている２個の挿通孔ｅ，ｅを挿通した状態で前記押えピンｄを下方向に押し込み、これによって両軸ｃ，ｃを地中で左右に拡がらせるものであることから、前記押え板ｆの上側に形成される握り部ｋとしての円弧部が該押え板ｆとの間で形成する手先の挿入間隙ｍが、該押えピンｄの押し込み度合いによっては小さくなった。このようになると、挿入間隙ｍに手先を挿入させ難い事態を招き、握り部ｋを握って押えピンを引き抜くことができなくなる問題があった。
【先行技術文献】
【特許文献】
【０００５】
【特許文献１】特開２００７−８２５２２号公報
【発明の概要】
【発明が解決しようとする課題】
【０００６】
本発明は前記問題点に鑑みて開発されたものであり、シート状物を地面に確実に押えて固定することができながら、この押え状態を容易に解除できるシート状物押え具の提供を課題とするものである。
【課題を解決するための手段】
【０００７】
前記課題を解決するため、本発明は以下の手段を採用する。
即ち、本発明に係るシート状物押え具の第１の態様は、シート状物を地面に押さえて固定するシート状物押え具であって、該シート状物を地面に押える押え板と該押え板を地面に押圧する押えピン部材とを具え、該押え板と該押えピン部材は別体に形成されており、該押え板には、所要間隔を置いて２箇所のピン挿通孔部が設けられる一方、前記押えピン部材は、該両ピン挿通孔部に挿通されて地面に押し込まれる２本のピン体の上部相互が、手で握るための握り部を有する繋ぎ片で連結されている。そして前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成できる。又、前記押え板が前記最上昇位置で保持されるように、前記両ピン体が、前記押え板の前記両ピン挿通孔部間の部分を弾性的に挾持することを特徴とするものである。
【０００８】
本発明に係るシート状物押え具の第２の態様は、シート状物を地面に押さえて固定するシート状物押え具であって、該シート状物を地面に押える押え板と該押え板を地面に押圧する押えピン部材とを具え、該押え板と該押えピン部材は別体に形成されており、該押え板には、所要間隔を置いて２箇所のピン挿通孔部が設けられる一方、前記押えピン部材は、該両ピン挿通孔部に挿通されて地面に押し込まれる２本のピン体の上部相互が、手で握るための握り部を有する繋ぎ片で連結されている。そして前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成できる。又、前記押え板が前記最上昇位置乃至それに近い状態で保持されるように、前記両ピン体が、前記押え板の前記両ピン挿通孔部の外縁部を該両ピン体が互いに離れる方向に弾性的に押圧することを特徴とするものである。
【０００９】
本発明に係るシート状物押え具の第３の態様は、前記第１、第２の態様において、前記押えピン部材が１本の金属線材を屈曲して形成されており、前記２本のピン体の上部相互を連結する前記繋ぎ片は、該２本のピン体の上部の夫々において外方に屈曲形成された、水平状態で且つ略同高さの外方屈曲片部と、該両外方屈曲片部の先端の夫々において上方に屈曲形成された上方屈曲片部と、該両上方屈曲片部の上端相互を連結する、手で握るための握り部を有する連結片とで構成されており、前記両ピン体に案内されて上昇する前記押え板が、前記外方屈曲片部としての前記規制部に当接して最上昇位置を呈した状態で、前記押え板と前記握り部との間に前記挿入間隙を形成できることを特徴とするものである。
【００１０】
本発明に係るシート状物押え具の第４の態様は、前記第１、第２の態様において、前記押えピン部材が１本の金属線材を屈曲して形成されており、前記２本のピン体の上部相互を連結する前記繋ぎ片は、該２本のピン体の上部の夫々において内方に屈曲形成された、水平状態で且つ略同高さの内方屈曲片部と、該両内方屈曲片部の先端の夫々において上方に屈曲形成された上方屈曲片部と、該両上方屈曲片部の上端相互を連結する、手で握るための握り部を有する連結片とで構成されており、前記両ピン体に案内されて上昇する前記押え板が、前記内方屈曲片部としての前記規制部に当接して最上昇位置を呈した状態で、前記押え板と前記握り部との間に前記挿入間隙を形成できることを特徴とするものである。
【００１１】
本発明に係るシート状物押え具の第５の態様は、シート状物を地面に押さえて固定するシート状物押え具であって、該シート状物を地面に押える押え板と該押え板を地面に押圧する押えピン部材とを具え、該押え板と該押えピン部材は別体に形成されており、該押え板には、所要間隔を置いて２箇所のピン挿通孔部が設けられる一方、前記押えピン部材は、該両ピン挿通孔部に挿通されて地面に押し込まれる２本のピン体の上部相互が、手で握るための握り部を有する繋ぎ片で連結されている。そして前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成できる。又前記押え板は、押え板本体の上面に、所要間隔を置いて、略同高さの筒部が上方に向けて一体に突設されてなり、該筒部と該押え板本体とに亘って前記ピン挿通孔部が設けられており、前記ピン体が該ピン挿通孔部に挿通して、前記筒部の上端が前記繋ぎ片としての前記規制部に当接して最上昇位置を呈した状態で、前記押え板本体と前記握り部との間に前記挿入間隙を形成できることを特徴とするものである。
【００１２】
本発明に係るシート状物押え具の第６の態様は、前記第１、第２の態様において、前記２本のピン体の夫々に、その上端寄り部位に略同高さで、係止突部としての前記規制部が設けられており、前記押え板が前記両ピン体に案内されて上昇でき、該押え板が、前記規制部に当接して最上昇位置を呈した状態で、前記押え板と前記握り部との間に前記挿入間隙を形成できることを特徴とするものである。
【００１３】
本発明に係るシート状物押え具の第７の態様は、前記第１、第２の態様において、前記２本のピン体の夫々に、その上端寄り部位に略同高さで、該両ピン体の向き合う内方向に突出する如く屈曲された屈曲部、及び／又は、該内方向とは逆の外方向に突出する如く屈曲された屈曲部、としての前記規制部が設けられており、前記押え板が前記両ピン体に案内されて上昇でき、該押え板が前記規制部に当接して最上昇位置を呈した状態で、前記押え板と前記握り部との間に前記挿入間隙を形成できることを特徴とするものである。
【００１４】
本発明に係るシート状物押え具の第８の態様は、前記第１、第２の態様において、前記２本のピン体の夫々に、その上端寄り部位に略同高さで、該両ピン体の向き合う内方向に突出する如くＵ字状に屈曲されたＵ字状屈曲部が形成されており、前記押え板が前記両ピン体に案内されて上昇でき、前記ピン挿通孔部の外縁部分が該Ｕ字状屈曲部の凹部に嵌まり合った状態となることにより、該外縁部分が、前記Ｕ字状屈曲部の上側部分としての前記規制部に当接して最上昇位置を呈した状態で、前記押え板と前記握り部との間に前記挿入間隙を形成できることを特徴とするものである。
【００１５】
本発明に係るシート状物押え具の第９の態様は、前記第１、第２の態様において、前記２本のピン体の上部相互を連結する前記繋ぎ片が、手先を挿入するためのリング状部を有しており、該リング状部の上辺は前記握り部を有すると共に、該リング状部の下辺は、前記両ピン体の上部相互を連結する連結片とされており、前記押え板が前記両ピン体に案内されて上昇でき、該押え板が、前記連結片としての前記規制部に当接して最上昇位置を呈した状態で、前記押え板と前記握り部との間に前記挿入間隙を形成できることを特徴とするものである。
【００１６】
本発明に係るシート状物押え具の第１０の態様は、前記第１、第２の態様において、シート状物を地面に押さえて固定するシート状物押え具であって、該シート状物を地面に押える押え板と該押え板を地面に押圧する押えピン部材とを具え、該押え板と該押えピン部材は別体に形成されており、該押え板には、所要間隔を置いて２箇所のピン挿通孔部が設けられる一方、前記押えピン部材は、該両ピン挿通孔部に挿通されて地面に押し込まれる２本のピン体の上部相互が、手で握るための握り部を有する繋ぎ片で連結されている。そして、前記押え板は、前記ピン体が前記ピン挿通孔部に挿通された状態で前記両ピン体に案内されて上昇でき、該押え板が、前記押えピン部材に設けられている規制部に当接して最上昇位置を呈した状態で、該規制部の間隙保持作用によって、手先を挿入させる挿入間隙を該押え板と前記握り部との間に形成できる。又、前記２本のピン体の上部相互を連結する前記繋ぎ片は、該両ピン体の上部相互を連結し、且つ、最上昇位置にある前記押え板の上面に当接し得る連結片部が設けられており、又、該連結片部の長さ方向の中央部位で上方に突出する上方突出片部が設けられると共に該上方突出片部の上端で、左右に逆方向に突出する前記握り部が設けられており、前記押え板が前記ピン体に案内されて上昇でき、該押え板が前記連結片部としての前記規制部に当接して最上昇位置を呈した状態で、前記押え板と前記握り部との間に前記挿入間隙を形成できることを特徴とするものである。
【００１７】
本発明に係るシート状物押え具の第１１の態様は、前記第１、第２の態様において、シート状物を地面に押さえて固定するシート状物押え具であって、該シート状物を地面に押える押え板本体と該押え板本体を地面に押圧する押えピン部材とを具え、該押え板本体と該押えピン部材は別体に形成されている。そして前記押え板本体の上面に、所要間隔を置いた２箇所で、該押え板本体とは別体に形成された略同長さの筒体が載置される如くなされ、該筒体と該押え板本体とに亘ってピン挿通孔部が設けられる一方、前記押えピン部材は、該両ピン挿通孔部に挿通されて地面に押し込まれる２本のピン体の上部相互が、手で握るための握り部を有する繋ぎ片で連結されている。又、前記押え板本体と前記筒体とは、前記ピン体が前記ピン挿通孔部に挿通された状態で前記両ピン体に案内されて上昇でき、前記ピン体が該ピン挿通孔部に挿通して、前記筒体の上端が前記繋ぎ片としての規制部に当接して最上昇位置を呈した状態で、該規制部の間隙保持作用によって、手先を挿入させる挿入間隙を前記押え板本体と前記握り部との間に形成できることを特徴とするものである。
【発明の効果】
【００１８】
本発明は以下の如き優れた効果を奏する。
(1) 本発明に係るシート状物押え具は、別体に形成された押え板と押えピン部材を具えるため、押えピン部材と押え板とが一体に形成されている場合に比し、保管時等における収納スペースが小さくて済む。又、シート状物押え具を梱包して出荷するに際しては、左右のピン体間のスペースを有効利用して該スペースに前記押え板を配置でき、これによって、全体を平板状態にして梱包することが可能となり梱包形態を小さくできる。
【００１９】
(2) 本発明に係るシート状物押え具によるときは、押えピン部材の突き刺しによって押え板を下方向に押圧することにより、シート状物を地面に押さえて固定できる。そして、このように押えピン部材を地面に突き刺した状態で、前記規制部の間隙保持作用によって、繋ぎ片を構成する握り部と該押え板との間に、手先を挿入させる挿入間隙を形成できる。かかることから、シート状物を除去したり交換する際は、該挿入間隙に手先を挿入し該握り部を手で握って、押えピン部材を容易に引き抜くことができる。又、該押えピン部材を地面に突き刺す際も、握り部を手で握って該押えピン部材を地面に容易に突き刺すことができる。
【００２０】
(3) 前記最上昇位置において、前記両ピン体が前記押え板の前記ピン挿通孔部間の部分を弾性的に挾持するように構成する場合は、該押え板が、その最上昇位置で安定的に保持され、その落下が防止されることとなる。このような効果は、前記最上昇位置において、前記両ピン体が前記押え板の前記ピン挿通孔部の外縁部を該両ピン体が互いに離れる方向に弾性的に押圧するように構成する場合も同様に得られる。
かかることから、押えピン部材を引き抜くと同時に押え板が該押えピン部材と共にシート状物から取り外されることになる。従って、押えピン部材を除去した後にシート状物上に残った押え板を拾い集める手間を削減でき、作業の能率化を達成できることとなる。
【００２１】
(4) 特に、前記押えピン部材を１本の金属線材を屈曲して形成するものとし、前記２本のピン体の上部相互を連結する前記繋ぎ片は、前記左右のピン体の上端で逆方向に外方に屈曲する外方屈曲片部と、該両外方屈曲片部の先端で、上方に向けて屈曲する上方屈曲片部と、該両上方屈曲片部の上端相互を連結する、握り部を有する連結片とで構成するときは、押えピン部材を、溶接等の手段を用いることなく簡易に製造できると共に、該外方屈曲片部で、押え板の両側部分をシート状物に向けて押圧できる。又、このように構成することによって、前記挿入間隙に手先を挿入して前記握り部を握れば、両側の指が左右の外方屈曲片部を上から押さえた状態になるため、シート状物を地面に、より安定的に押さえて固定できることとなる。又、左右のピン体間の間隔をより小さく設定できながら、手先を挿入するための挿入間隙をより大きく設定できることとなり、押えピン部材をコンパクトに構成できることともなる。
そして、前記挿入間隙に手先を挿入して前記握り部を握ったときに、両側の指が左右の外方屈曲片部を上から押さえた状態となるため、押えピン部材を地面に押し込む際にその押し込みをより安定的に然も容易に行うことができる。
【図面の簡単な説明】
【００２２】
【図１】本発明に係るシート状物押え具の使用状態を示す斜視図である。
【図２】その断面図である。
【図３】本発明に係る押え具を示す斜視図である。
【図４】その押え具を構成する押えピン部材を示す正面図である。
【図５】押え板を押えピン部材に取り付け、該押え板を最上昇位置に位置させた状態を示す一部断面正面図である。
【図６】押えピン部材に押え板を取り付けて該押え板を最上昇位置に位置させる作業工程を説明する斜視図と一部断面正面図である。
【図７】シート状物押え具を用いてシート状物を地面に押さえて固定する作業工程を説明する一部断面正面図である。
【図８】シート状物を地面に押さえて固定した状態を示す一部断面正面図である。
【図９】シート状物を地面から取り外すに際して、シート状物押え具を引き抜く作業工程を示す一部断面正面図である。
【図１０】シート状物を地面に押さえて固定する他の作業工程を説明する一部断面正面図である。
【図１１】シート状物押え具を梱包して出荷するに際して、押えピン部材の左右のピン体間のスペースに押え板を配置した状態を示す斜視図である。
【図１２】シート状物押え具の他の実施例を説明する斜視図と、その一部断面正面図である。
【図１３】シート状物押え具のその他の実施例を示す斜視図と、その一部断面正面図である。
【図１４】シート状物押え具のその他の実施例を示す斜視図と、その一部断面正面図である。
【図１５】シート状物押え具のその他の実施例を示す斜視図と、その一部断面正面図である。
【図１６】シート状物押え具のその他の実施例を示す斜視図と、その一部断面正面図である。
【図１７】シート状物押え具のその他の実施例を示す斜視図と、その一部断面正面図である。
【図１８】シート状物押え具のその他の実施例を示す斜視図と、その一部断面正面図である。
【図１９】シート状物押え具のその他の実施例を示す斜視図と、その一部断面正面図である。
【図２０】シート状物押え具のその他の実施例を示す斜視図と、その一部断面正面図である。
【図２１】シート状物押え具のその他の実施例を示す一部断面正面図である。
【図２２】シート状物押え具のその他の実施例を示す斜視図と、その一部断面正面図である。
【図２３】シート状物押え具のその他の実施例を示す斜視図と、その一部断面正面図である。
【図２４】シート状物押え具のその他の実施例を示す斜視図と、その一部断面正面図である。
【図２５】シート状物押え具のその他の実施例を示す斜視図と、その一部断面正面図である。
【図２６】シート状物押え具のその他の実施例を示す斜視図と、その一部断面正面図である。
【図２７】シート状物押え具のその他の実施例を示す一部断面正面図と、押え板を示す斜視図である。
【図２８】シート状物押え具のその他の実施例を示す斜視図と、その一部断面正面図である。
【図２９】シート状物押え具のその他の実施例を示す斜視図と、その一部断面正面図である。
【図３０】シート状物押え具のその他の実施例を示す斜視図と、その一部断面正面図である。
【図３１】従来のシート状物押え具の問題点を説明する説明図である。
【発明を実施するための形態】
【実施例１】
【００２３】
図１〜３において本発明に係るシート状物押え具１は、地面２に敷設されたシート状物３を上から押さえる押え板５と該押え板５を地面２に押圧する押えピン部材６とを具えている。例えば、畝７を覆うように敷設された農業用のマルチシート３ａとしてのシート状物３の両側の縁部分９，９を地面２に押さえて固定するために用いられる。
【００２４】
該押え板５は、本実施例においては図３に示すように、合成樹脂製の角丸の長方形板体として形成され、その厚さは例えば２ｍｍに設定されている。又、その長辺長さは１００ｍｍに設定されており、その長手中心線上の両側には、４９ｍｍの孔心間距離Ｌ１を隔てて５ｍｍ径のピン挿通孔部１０，１０が設けられている。
【００２５】
前記押えピン部材６は、図３〜４に示すように、前記２個のピン挿通孔部１０，１０に挿通されて地面２に押し込まれる２本のピン体１１，１１の上部１２，１２相互が、手で握るための握り部２０を有する繋ぎ片１９で連結されている。そして前記押え板５は、前記ピン体１１，１１が前記ピン挿通孔部１０，１０に挿通された状態で該両ピン体１１，１１に案内されて上昇でき、該押え板５が該押えピン部材６に設けられている規制部２７に当接して最上昇位置Ａを呈した状態で、該規制部２７の間隙保持作用によって、手先を挿入させる挿入間隙３０を該押え板５と前記握り部２０との間に形成できる。
【００２６】
これをより具体的に説明すれば、該押えピン部材６は本実施例においては、例えば、直径が３ｍｍの１本の金属線材（鉄線等）を屈曲して形成されており、前記押え板５に設けられている２個のピン挿通孔部１０，１０に挿通されて地面２に押し込まれる２本の直線状のピン体１１，１１を具えている。そして、前記２本のピン体１１，１１の上部相互を連結する前記繋ぎ片１９は、該２本のピン体１１，１１の上部１２，１２の夫々において外方に屈曲形成された、水平状態で且つ略同高さの外方屈曲片部１３，１３と、該両外方屈曲片部１３，１３の先端１５，１５の夫々において上方に屈曲形成された、上方屈曲片部１６，１６と、該両上方屈曲片部１６，１６の上端１７，１７相互を連結する、例えば、水平な直線状を呈する連結片１４とで構成されている。該連結片１４は、手１８（図６）で握るための水平な握り部２０を有する。
【００２７】
そして、直線状を呈する前記２本のピン体１１，１１の夫々は、図４に示すように、その上部１２で、該上部から下端２２に向かうにつれて、該２本のピン体１１，１１の向き合う方向に稍屈曲されている。該両ピン体１１，１１の自由状態における上部１２，１２間の距離Ｌ２は４９ｍｍ程度に設定されると共に、その下端２２，２２間の距離Ｌ３は３８ｍｍ程度に設定されている。かかる構成を有する２本のピン体１１，１１は、該上部１２，１２を中心に、該２本のピン体１１，１１が離れる方向に弾性的に拡開させ得るように構成されている。
【００２８】
そして図５に示すように、該ピン体１１，１１の下端部分２３，２３を前記押え板５に設けられている前記２個のピン挿通孔部１０，１０に挿通させて、該押え板５の上面２５が前記両外方屈曲片部１３，１３としての前記規制部２７，２７に当接するまで上昇させると、該押え板５が最上昇位置Ａを呈した状態で、該両ピン体１１，１１が、前記押え板５の前記ピン挿通孔部１０，１０間の部分２６を弾性的に挾持できる。これによって、該押え板５は該最上昇位置Ａで保持され、その落下が防止される。
【００２９】
そして、該押え板５が該最上昇位置Ａを呈した状態で、前記規制部２７，２７（外方屈曲片部１３，１３）の間隙保持作用によって、該押え板５と前記握り部２０との間に、図５に示すように、横長四角形状を呈する、手先を挿入させるための前記挿入間隙３０を形成できる。
【００３０】
ここで、前記押えピン部材６の主要部の寸法を例示すれば、図４に示すように、前記ピン体１１の長さＬ４は１４７ｍｍ程度に設定されると共に前記外方屈曲片部１３の突出長さＬ５は１７ｍｍ程度に設定され、前記上方屈曲片部１６の長さＬ６は２１ｍｍ程度に設定され、前記連結片１４の長さＬ７は８０ｍｍ程度に設定されている。
【００３１】
然して、かかる構成を有するシート状物押え具１を用いて前記シート状物３を地面２に押さえて固定するに際しては、先ず図６（Ａ）（Ｂ）に示すように、両ピン体１１，１１を稍開いてその下端部分２３，２３を前記押え板５の左右のピン挿通孔部１０，１０に挿通させる。その後、図６（Ｂ）に矢印で示すように、該押え板５を両ピン体１１，１１に案内させて上方向にスライドさせ、図６（Ｃ）に示すように、該押え板５を、前記最上昇位置Ａを呈した状態にする。これらの操作は、図６に示すように、前記握り部２０を手１８で握って行うのがよい。
【００３２】
本実施例においてはこの状態で、両側の指（図６においては、人指し指３１ａと小指３１ｂ）３１，３１が、前記左右の外方屈曲片部１３，１３の上側に当接した状態となる。
【００３３】
その後、前記シート状物３を地面２に固定すべき箇所において、図７（Ａ）に示すように、前記左右のピン体１１，１１の下端３２，３２で該シート状物３を突き破り、図７（Ｂ）に示すように、前記握り部２０を手１８で握ったまま前記押えピン部材６を地面２に押し込む。この押し込みは、両側の指３１，３１が左右の外方屈曲片部１３，１３を上から押さえる状態となるために安定的に行うことができる。
【００３４】
図７（Ｂ）は、前記押え板５が、前記左右の外方屈曲片部１３，１３によって下方向に押されて前記シート状物３の上面３３に押さえ付けられた状態を示している。これによって、該シート状物３は地面２に安定的に固定される。本実施例においては、押えピン部材６が左右の外方屈曲片部１３，１３を具えるため、図７（Ｂ）、図８に示すように、該左右の外方屈曲片部１３，１３によって押え板５の両側部分３５，３５を地面２に向けて安定的に押さえることが可能であり、シート状物３をより安定的に地面に押さえて固定できる。
【００３５】
このようにシート状物３を確実に押さえた状態においても、図８に示すように、前記押え板５と前記握り部２０との間には、前記規制部２７，２７（外方屈曲片部１３，１３）としての間隙保持部２７，２７の間隙保持作用によって、該押え板５と該握り部２０との間に、手先を挿入させる前記挿入間隙３０が形成される。
【００３６】
前記シート状物３を地面２から取り外すに際しては、図９（Ａ）に示すように、前記挿入間隙３０に手先を挿入して前記握り部２０を手１８で握って、前記左右のピン体１１，１１を地中から引き抜く。
【００３７】
このように引き抜く際、前記のように両ピン体１１，１１が前記ピン挿通孔部間の部分２６を弾性的に挾持した状態にあることから、図９（Ｂ）に示すように、該押え板５が前記最上昇位置Ａを呈したまま、両ピン体１１，１１が引き抜かれることになる。換言すれば、前記押えピン部材６を引き抜いたときに、前記押え板５が前記左右のピン体１１，１１と共に持ち上がってくることとなる。従って、押えピン部材６を除去した後にシート状物３上に残った押え板５を拾い集める手間を削減でき、作業の能率化を達成できることとなる。
【００３８】
図１０（Ａ）は、前記シート状物押え具１を用いてシート状物３を地面２に押さえて固定する他の要領を示すものである。例えば風がある中での作業の場合は、シート状物３のばたつきを防ぐために、先ず、前記押え板５をシート状物３の上面３３の所要部位に当接させ、該当接状態を保持したまま、前記と同様にして、前記握り部２０を手で握る。この状態で、図１０（Ｂ）に示すように、前記左右のピン体１１，１１を稍開いて両ピン体１１，１１の下端部分２３，２３を前記２個のピン挿通孔部１０，１０に挿通させ、該シート状物３を突き破って押えピン部材６を地面２に押し込む。その後、図１０（Ｃ）に示すように、前記左右の外方屈曲片部１３，１３が該押え板５の上面２５に当接するまで両ピン体１１，１１を地面に押し込む。これにより、図１０（Ｃ）に示すように、該押え板５を介して、シート状物３を地面２に、安定的に押さえて固定できる。
【００３９】
このように前記シート状物押え具１によるときは、前記握り部２０を握って、押えピン部材６を地面２に安定状態で押し込むことができると共に、特別な道具を用いることなく、該握り部２０を握って押えピン部材６を安定状態で地面から容易に引き抜くことができる。
【００４０】
なお、前記構成を有するシート状物押え具１を梱包して出荷するに際しては、図１１に示すように、左右のピン体１１，１１間のスペース３４を有効利用して該スペース３４に前記押え板５を配置し、全体を平板状態にして梱包することができる。この際、複数本の押えピン部材６を積み重ね状態としてもよく、又、複数枚の押え板５を積み重ね状態としてもよい。
【実施例２】
【００４１】
図１２〜２０は、本発明に係るシート状物押え具１の他の態様を示す。これらのシート状物押え具１によるときも、実施例１における場合と同様に、前記握り部２０を手で握って、前記押えピン部材６を地面２に安定状態で押し込むことができ、この押し込みによって、シート状物３を地面２に押さえて固定できる。又、前記挿入間隙３０に手先を挿入して該握り部２０を手で握って、押えピン部材６を安定状態で地面から引き抜くことができる。この引き抜きは、前記押え板５を前記最上昇位置Ａに位置させたまま行うことができる。
【００４２】
(1) 図１２に示すシート状物押え具１を構成する押えピン部材６の繋ぎ片１９は、所要間隔を隔てる２本のピン体１１，１１の上部１２，１２の夫々において内方に屈曲形成された、水平状態で且つ略同高さの内方屈曲片部３６，３６と、該両内方屈曲片部３６，３６の夫々の先端３７，３７において上方に屈曲形成された上方屈曲片部３９，３９と、該両上方屈曲片部３９，３９の上端１７，１７相互を連結する、例えば、水平な直線状を呈する連結片２４とで構成されている。該連結片２４は、手で握るための握り部２０を有する。
【００４３】
この場合も、両ピン体１１，１１の下端部分２３，２３を、前記と同様構成の押え板５の両ピン挿通孔部１０，１０に挿通させ、該押え板５を、両ピン体１１，１１に案内させて上方向にスライドさせ、最上昇位置Ａとすることにより、図１２（Ｂ）に示すように、該押え板５と該握り部２０との間に、前記内方屈曲片部３６，３６としての規制部２７，２７の間隙保持作用によって、手先を挿入させる挿入間隙３０が形成される。そして、押えピン部材６を地面２に押し込んだ状態においては、前記内方屈曲片部３６，３６が押え板５の両側部分３５，３５を地面２に向けて安定状態で押さえる。なお本実施例においても、該押え板５が最上昇位置Ａを呈した状態で、両ピン体１１，１１が該押え板５のピン挿通孔部間の部分２６を弾性的に挾持し得るようになされている。
【００４４】
かかるシート状物押え具１によるときも、前記握り部２０を手で握って、押えピン部材６を地面２に安定状態で押し込むことができ、この押し込みによって、シート状物３を地面２に押さえて固定できると共に、押えピン部材６を引き抜く際は、前記挿入間隙３０に手先を挿入して前記握り部２０を手で握って押えピン部材６を地中から容易に引き抜くことができる。
【００４５】
(2) 図１３に示すシート状物押え具１を構成する押えピン部材６は、所要間隔を隔てる２本のピン体１１，１１の上部１２，１２相互を、手で握るための握り部２０を有する繋ぎ片１９で連結してなるコ字状形態を呈している。そして前記押え板５は、例えば角丸の長方形板体として形成された押え板本体３８の上面２８の両側部位に、略同高さの筒部６０，６０が上方に向けて一体に突設されてなり、該筒部６０と該押え板本体３８とに亘って前記ピン挿通孔部１０，１０が設けられている。そして、両ピン体１１，１１の下端部分２３，２３を該ピン挿通孔部１０，１０に挿通させ、該押え板５を、該両ピン体１１，１１に案内させて上方向にスライドさせると、図１３（Ｂ）に示すように、前記筒部６０，６０の上端４０，４０が前記繋ぎ片１９としての規制部２７に当接して最上昇位置を呈した状態で、該規制部２７の間隙保持作用によって、前記押え板本体（押え板５の一部分）３８と前記握り部２０との間に、手先を挿入させる挿入間隙３０が形成される。本実施例における場合も前記と同様にして、該押え板５が最上昇位置Ａを呈した状態で、両ピン体１１，１１が前記ピン挿通孔部間の部分２６を弾性的に挾持し得る。
【００４６】
(3) 図１４に示すシート状物押え具１を構成する押えピン部材６は、所要間隔を置いて対向する２本のピン体１１，１１の上部１２，１２相互を、手で握るための握り部２０を有する繋ぎ片１９で連結してなるコ字状形態を呈している。そして前記押え板５は、例えば角丸の長方形板体として形成された押え板本体３８の上面２８に、所要間隔を置いて、該押え板本体３８とは別体に形成された略同長さの筒体４４，４４が載置される如くなされている。そして、該筒体４４と該押え板本体３８とに亘って、図１４（Ｂ）に示すように、前記ピン挿通孔部１０，１０が設けられており、前記ピン体１１，１１が該ピン挿通孔部１０，１０に挿通して、前記筒体４４，４４の上端５８，５８が前記繋ぎ片１９としての前記規制部２７に当接して最上昇位置を呈した状態で、図１４（Ｂ）に示すように、前記押え板本体（押え板５の一部分）３８と前記繋ぎ片１９との間に、手先を挿入させる挿入間隙３０が形成される。そして、該押え板５が最上昇位置Ａを呈した状態で、両ピン体１１，１１が前記ピン挿通孔部１０，１０間の部分２６を弾性的に挾持し得る。
【００４７】
(4) 図１５に示すシート状物押え具１を構成する押えピン部材６は、所要間隔を置いて対向する２本のピン体１１，１１の上部１２，１２相互を、手で握るための握り部２０を有する繋ぎ片１９で連結してなるコ字状形態を呈しており、両ピン体１１，１１の上端寄り部位に略同一高さで、例えば円板状を呈する係止突部４１，４１としての前記規制部２７，２７が設けられている。そして、実施例１におけると同様構成の押え板５に設けられている左右のピン挿通孔部１０，１０に左右のピン体１１，１１の下端部分２３，２３を挿通させ、該押え板５を該ピン体１１，１１に案内させて上方向にスライドさせて最上昇位置Ａとすることにより、図１５（Ｂ）に示すように、該押え板５と前記握り部２０との間に、前記係止突部４１，４１としての規制部２７，２７の間隙保持作用によって、手先を挿入させる挿入間隙３０が形成される如くなされている。そして本実施例においても前記と同様、前記押え板５が最上昇位置Ａを呈した状態で、両ピン体１１，１１が前記ピン挿通孔部間の部分２６を弾性的に挾持し得る。
【００４８】
(5) 図１６に示すシート状物押え具１を構成する押えピン部材６は、所要間隔を置いて対向する２本のピン体１１，１１の上部１２，１２相互を、手で握るための握り部２０を有する繋ぎ片１９で連結してなるコ字状形態を呈しており、両ピン体１１，１１の上端寄り部位に略同高さで、該両ピン体１１，１１が向き合う内方向に突出する如く屈曲されたＵ字状の屈曲部４２，４２からなる規制部２７，２７が設けられている。
【００４９】
又、図１７に示すシート状物押え具１を構成する押えピン部材６は、所要間隔を置いて対向する２本のピン体１１，１１の上部１２，１２相互を、握り部２０を有する繋ぎ片１９で連結してなるコ字状形態を呈しており、両ピン体１１，１１の上端寄り部位に略同高さで、該両ピン体１１，１１が外方向に突出する如く屈曲されたＵ字状の屈曲部４３，４３からなる規制部２７，２７が設けられている。
【００５０】
そして、これらのシート状物押え具１，１によるときは、実施例１におけると同様構成の押え板５が、図１６（Ｂ）、図１７（Ｂ）に示すように、両ピン体１１，１１に案内されて最上昇位置Ａを呈した状態で、前記押え板５と前記握り部２０との間に、前記規制部２７の間隙保持作用によって、手先を挿入させる挿入間隙３０が形成される如くなされている。本実施例においても前記と同様、前記押え板５が最上昇位置Ａを呈した状態で、両ピン体１１，１１が前記ピン挿通孔部間の部分２６を弾性的に挾持し得る。なお、前記左右の規制部２７，２７は、図１６に示す前記Ｕ字状の屈曲部４２と図１７に示す前記Ｕ字状の屈曲部４３の組み合わせで構成されてもよい。又、該左右の規制部２７，２７は、Ｕ字状を呈しない屈曲部であってもよい。
【００５１】
(6) 図１８に示すシート状物押え具１を構成する押えピン部材６は、所要間隔を置いて対向する２本のピン体１１，１１の上部１２，１２相互を、手で握るための握り部２０を有する繋ぎ片１９で連結してなるコ字状形態を呈している。そして、両ピン体１１，１１の夫々には、その上端寄り部位に略同高さで該両ピン体の向き合う方向に突出する如く、Ｕ字状に屈曲されたＵ字状屈曲部４５，４５が形成されており、該Ｕ字状屈曲部４５，４５の上側部分４６，４６が前記規制部２７，２７を構成している。本実施例においては左右のピン体１１，１１は、その上部１２，１２において外向きに開いており、両ピン体１１，１１を弾性的に内向きに窄めることができるように構成されている。又、前記と同様構成の押え板５に設けられている前記左右のピン挿通孔部１０，１０は、図１８（Ａ）に示すように、左右方向に稍長い長孔として形成されている。
【００５２】
そして、両ピン体１１，１１が内側に窄められた状態で、該両ピン体１１，１１の下端部分２３，２３を前記押え板５の前記ピン挿通孔部１０，１０に挿通させ、該押え板５を、両ピン体１１，１１に案内させて上方向にスライドさせ、最上昇位置Ａを呈した状態とすることにより、前記ピン挿通孔部１０，１０の外縁部分４７，４７が、図１８（Ｂ）（Ｃ）に示すように、前記Ｕ字状屈曲部４５，４５の凹部４９，４９に嵌まり合った状態となる。これにより該押え板５は、前記規制部２７，２７に当接して最上昇位置Ａを呈し、該押え板５が前記握り部２０に向けて移動するのが阻止される。該規制部２７，２７の間隙保持作用によって、該押え板５と該握り部２０との間に、手先を挿入させる挿入間隙３０が形成されることとなる。
【００５３】
(7) 図１９に示すシート状物押え具１を構成する押えピン部材６は、左右２本のピン体１１，１１の上部１２，１２相互を連結する前記繋ぎ片１９がリング状部４８を有している。該リング状部４８の上辺は上連結片５１として形成されており、前記握り部２０を有している。又、前記リング状部４８の下辺は下連結片５２として形成されており、前記上部１２，１２相互を直接に連結している。そして、前記と同様構成の押え板５を、両ピン体１１，１１に案内させて上方向にスライドさせると、前記下連結片５２からなる規制部２７が該押え板５の上面２５に当接することによって、該押え板５と前記握り部２０との間に、手先を挿入させる挿入間隙３０が形成される如くなされている。
【００５４】
(8) 図２０に示すシート状物押え具１を構成する押えピン部材６は、左右２本のピン体１１，１１の上部１２，１２相互を連結する前記繋ぎ片１９が、該２本のピン体１１，１１の上部１２，１２相互を連結し且つ最上昇位置Ａにある前記押え板５の上面２５に当接し得る、連結片部５４としての規制部２７が設けられている。又、該連結片部５４の長さ方向の中央部位において上方突出片部５３が突設されると共に、該上方突出片部５３の上端５５で、逆方向に突出する握り部２０，２０が設けられている。
【００５５】
然して、前記２本のピン体１１，１１の下端部分２３，２３が前記押え板５に設けられている左右のピン挿通孔部１０，１０に挿通されて該押え板５が該ピン体１１，１１に案内されて最上昇位置Ａを呈した状態にすると、図２０（Ｂ）に示すように、前記連結片部５４としての規制部２７が該押え板５の上面２５に当接することによって、該押え板５と前記握り部２０との間に、手先を挿入させる挿入間隙３０が形成される如くなされている。そして本実施例における場合も、前記押え板５が、左右２本のピン体１１，１１に案内されて最上昇位置Ａを呈した状態で、両ピン体１１，１１が前記ピン挿通孔部間の部分２６を弾性的に挾持し得る。
【００５６】
(9) 例えば図３〜４に示すシート状物押え具１において、前記とは逆に、左右２本のピン体１１，１１の下端３２，３２間の間隔をその上部１２，１２間の間隔よりも大きく設定し、該両ピン体１１，１１を内側に弾性的に窄めることができるように構成することもある。
この場合は、例えば図２１に示すように、該両ピン体１１，１１を内側に窄めた状態にして、該両ピン体１１，１１の下端部分２３，２３を前記押え板５の左右のピン挿通孔部１０，１０に挿通させた後、該押え板５を両ピン体１１，１１に案内させて最上昇位置Ａを呈する如くなすと、両ピン体１１，１１の上部１２，１２が両ピン挿通孔部１０，１０の外縁部５６，５６を、該両ピン体１１，１１が離れる方向に弾性的に押圧することよって、該押え板５を、最上昇位置Ａ乃至それに近い状態で保持できることになる。
【００５７】
(10)図２２〜２６は、前記ピン挿通孔部１０を、前記押え板５の対向する外縁部５７，５７で設けた直線状欠切部５９の内側部分を以て構成した場合を示している。その他の構成は、図２２については図１２と、図２３については図１５と、図２４については図１６と、図２５については図１９と、図２６については図２０と、同様であるため、その具体的な説明を省略する。
又、図２７〜３０は、前記ピン挿通孔部１０を、前記押え板５の長さ方向に延長して設けた長孔部５９の外側部分を以て構成した場合を示している。これらは何れも、両ピン体１１，１１の上部１２，１２が両ピン挿通孔部１０，１０の外縁部５６，５６を、該両ピン体１１，１１が離れる方向に弾性的に押圧することよって、該押え板５を、最上昇位置Ａ乃至それに近い状態で保持できるように構成されている。
【実施例３】
【００５８】
本発明は、前記実施例で示したものに限定されるものでは決してなく、「特許請求の範囲」の記載内で種々の設計変更が可能であることはいうまでもない。その一例を挙げれば次のようである。
【００５９】
(1) 前記挿入間隙３０は、前記押え板５が最上昇位置Ａを呈した状態で押え板５と握り部２０との間に、手先を挿入可能に構成されて該握り部２０を手で握ることを可能にするものであれば、前記の他、各種に構成され得る。
【００６０】
(2) 前記２本のピン体１１，１１は、垂直な平行状態にあってもよい。
【００６１】
(3) 前記押え板５の形態は、前記した長方形板体を呈するものの他、シート状物３を地面２に押えることができるものであれば、円板状等を呈するものであってもよい。
【００６２】
(4) 前記ピン挿通孔部１０としては、前記の他、前記ピン体１１を挿通させ得る各種構成のものを採用できる。
【００６３】
(5) 前記押え板５は金属製とされることもあり、又、前記押えピン部材６は合成樹脂製とされることもある。そして、該押えピン部材６を構成する前記握り部２０は、前記実施例で示したような水平な直線状を呈するものには限られず、湾曲状態等を呈するものであってもよい。又、該押えピン部材６を構成する２本のピン体１１，１１は、地面に突き刺された状態における引き抜き抵抗を増大させるために、その外面に、引っ掛かり用の適宜の凹凸部が設けられることもある。
【００６４】
(6) 前記シート状物３は、前記した農業用のマルチシートの他、例えば田や畑の土手等に張り付けられる防草シートや、遮光シート、緑化用のシート等の各種のシート状を呈するものを含むものである。又、それは樹脂シートである他、不織布、寒冷紗等、各種のシート状を呈するものであってよい。
【符号の説明】
【００６５】
１  シート状物押え具
２  地面
３  シート状物
５  押え板
６  押えピン部材
９  縁部分
１０  ピン挿通孔部
１１  ピン体
１３  外方屈曲片部
１６  上方屈曲片部
１９  繋ぎ片
２０  握り部
２５  上面
２７  規制部
３０  挿入間隙
３１  指
３６  内方屈曲片部
３８  押え板本体
３９  上方屈曲片部
４１  係止突部
４２  Ｕ字状屈曲部
４３  Ｕ字状屈曲部
４４  筒体
４５  Ｕ字状屈曲部
４６  上側部分
４７  外縁部分
４８  リング状部
４９  凹部
５０  連結片
５１  上連結片
５２  下連結片
５３  上方突出片部
５４  連結片部
６０  筒部
【図１】
0005499061.tif 000002
【図２】
0005499061.tif 000003
【図３】
0005499061.tif 000004
【図４】
0005499061.tif 000005
【図５】
0005499061.tif 000006
【図６】
0005499061.tif 000007
【図７】
0005499061.tif 000008
【図８】
0005499061.tif 000009
【図９】
0005499061.tif 000010
【図１０】
0005499061.tif 000011
【図１１】
0005499061.tif 000012
【図１２】
0005499061.tif 000013
【図１３】
0005499061.tif 000014
【図１４】
0005499061.tif 000015
【図１５】
0005499061.tif 000016
【図１６】
0005499061.tif 000017
【図１７】
0005499061.tif 000018
【図１８】
0005499061.tif 000019
【図１９】
0005499061.tif 000020
【図２０】
0005499061.tif 000021
【図２１】
0005499061.tif 000022
【図２２】
0005499061.tif 000023
【図２３】
0005499061.tif 000024
【図２４】
0005499061.tif 000025
【図２５】
0005499061.tif 000026
【図２６】
0005499061.tif 000027
【図２７】
0005499061.tif 000028
【図２８】
0005499061.tif 000029
【図２９】
0005499061.tif 000030
【図３０】
0005499061.tif 000031
【図３１】
0005499061.tif 000032